(57)【要約】【課題】リモコン等の携帯端末の性能に依存せず、高精度な音声の分析能力を発揮できる自動車用遠隔操作装置、及び自動車用遠隔操作システムを提供する。【解決手段】音声を取り込み可能とされ、公衆通信網及び無線通信による送受信が可能な携帯端末１２と、前記公衆通信網に接続され、音声情報を分析して文字情報に変換する分析サーバ３６と、を用いた自動車用遠隔操作装置１０であって、前記携帯端末１２に組み込まれ、取り込んだ音声を前記音声情報として前記分析サーバ３６に送信するとともに、前記分析サーバ３６から送信された前記文字情報を受信し、前記文字情報を予め登録された遠隔操作に係る登録文字情報に照合して前記文字情報と同一の登録文字情報を抽出し、抽出された登録文字情報に係る遠隔操作信号を前記無線通信により送信する制御手段（不図示）と、前記遠隔操作信号を受信して自動車に搭載された車輌制御装置３４に出力する車載装置２６と、を有することを特徴とする。【選択図】図１
2016089670.tif 000002
【特許請求の範囲】
【請求項１】
音声を取り込み可能とされ、公衆通信網及び無線通信による送受信が可能な携帯端末と、
前記公衆通信網に接続され、音声情報を分析して文字情報に変換する分析サーバと、を用いた自動車用遠隔操作装置であって、
前記携帯端末に組み込まれ、取り込んだ音声を前記音声情報として前記分析サーバに送信するとともに、前記分析サーバから送信された前記文字情報を受信し、前記文字情報を予め登録された遠隔操作に係る登録文字情報に照合して前記文字情報と同一の登録文字情報を抽出し、抽出された登録文字情報に係る遠隔操作信号を前記無線通信により送信する制御手段と、
前記遠隔操作信号を受信して自動車に搭載された車輌制御装置に出力する車載装置と、を有することを特徴とする自動車用遠隔操作装置。
【請求項２】
前記登録文字情報は、前記車輌制御装置に入力される自動車の状態を表すステータス情報を送信させる遠隔操作に係る登録文字情報を包含し、
前記車載装置は、
当該登録文字情報に係る前記遠隔操作信号を受信すると前記車輌制御装置から前記ステータス情報を取得して前記制御手段に送信可能とされ、
前記制御手段は、
前記携帯端末の表示部に前記ステータス情報を出力することを特徴とする請求項１に記載の自動車用遠隔操作装置。
【請求項３】
前記携帯端末と前記車載装置との間の送受信を中継する無線中継装置を有し、
前記無線中継装置と前記車載装置との間の送受信は、前記無線通信よりも通信の到達距離の長い第２の無線通信により行っていることを特徴とする請求項１または２に記載の自動車用遠隔操作装置。
【請求項４】
前記車輌制御装置が自動車専用のキー手段との間でイモビ信号の送受信を行うものである場合において、
前記車載装置は、
前記車輌制御装置との間のイモビ信号の送受信、及び前記第２の無線通信を介した前記無線中継装置との間のイモビ信号の送受信が可能とされ、
前記無線中継装置は、
前記キー手段との間でイモビ信号の送受信が可能とされ、
前記車載装置及び前記無線中継装置により、前記車輌制御装置と前記キー手段との間のイモビ信号の送受信の中継が可能であることを特徴とする請求項３に記載の自動車用遠隔操作装置。
【請求項５】
請求項１乃至４のいずれか１項に記載の自動車用遠隔操作装置と、前記携帯端末と、前記分析サーバと、を有することを特徴とする自動車用遠隔操作システム。
【発明の詳細な説明】
【技術分野】
【０００１】
本発明は、遠隔操作により自動車のエンジンを始動する等、自動車に対してさまざまな動作を行わせることが可能な自動車用遠隔操作装置、及び自動車用遠隔操作システムに関する。
【背景技術】
【０００２】
従来から、いわゆる手で操作するリモコンからの指示で遠隔制御する自動車の遠隔始動装置が存在する。しかし、手で操作するリモコンは、何かの作業で手が離せないときは操作ができないので不便であった。このため、ドライバーの音声を解析してコマンド化することにより遠隔制御が可能な遠隔始動装置も存在する（特許文献１参照）。特許文献１では、音声受信できるリモコンに専用の回路や音声分析を行うプログラムを組み入れている。
【先行技術文献】
【特許文献】
【０００３】
【特許文献１】特開２００３−４２０４５号公報
【発明の概要】
【発明が解決しようとする課題】
【０００４】
しかし、特許文献１では、リモコン内で音声分析のためのデータ処理を行う必要があるので、音声データの分析アルゴリズムの追加／修正ができず、リモコンの記憶領域の容量も小さいため、音声の分析能力には限界があった。また、プログラムの更新は可能であっても、リモコン内のＣＰＵやメモリーの動作速度の更新ができず、分析精度の向上限界があった。
そこで、本発明では、リモコン等の携帯端末の性能に依存せず、高精度な音声の分析能力を発揮できる自動車用遠隔操作装置、及び自動車用遠隔操作システムを提供することを目的とする。
【課題を解決するための手段】
【０００５】
上記目的を達成するため、本発明に係る自動車用遠隔操作装置は、第１には、音声を取り込み可能とされ、公衆通信網及び無線通信による送受信が可能な携帯端末と、前記公衆通信網に接続され、音声情報を分析して文字情報に変換する分析サーバと、を用いた自動車用遠隔操作装置であって、前記携帯端末に組み込まれ、取り込んだ音声を前記音声情報として前記分析サーバに送信するとともに、前記分析サーバから送信された前記文字情報を受信し、前記文字情報を予め登録された遠隔操作に係る登録文字情報に照合して前記文字情報と同一の登録文字情報を抽出し、抽出された登録文字情報に係る遠隔操作信号を前記無線通信により送信する制御手段と、前記遠隔操作信号を受信して自動車に搭載された車輌制御装置に出力する車載装置と、を有することを特徴とする。
【０００６】
上記構成により、携帯端末が取り込んだ音声は携帯端末の外部にある分析サーバにおいて文字情報に変換され、その文字情報に基づいて携帯端末が遠隔操作信号を送信することになる。よって、分析サーバの分析能力に従って分析されて得られた文字情報に基づいて遠隔操作が可能となるので、携帯端末の能力に係らず音声に基づく遠隔操作を高い分析精度で行うことが可能な自動車用遠隔操作装置となる。
【０００７】
第２には、前記登録文字情報は、前記車輌制御装置に入力される自動車の状態を表すステータス情報を送信させる遠隔操作に係る登録文字情報を包含し、前記車載装置は、当該登録文字情報に係る前記遠隔操作信号を受信すると前記車輌制御装置から前記ステータス情報を取得して前記制御手段に送信可能とされ、前記制御手段は、前記携帯端末の表示部に前記ステータス情報を出力することを特徴とする。
上記構成により、自動車の状態を携帯端末において確認することができる。
【０００８】
第３には、前記携帯端末と前記車載装置との間の送受信を中継する無線中継装置を有し、前記無線中継装置と前記車載装置との間の送受信は、前記無線通信よりも通信の到達距離の長い第２の無線通信により行っていることを特徴とする。
【０００９】
上記構成により、携帯端末と車載装置との距離が無線通信の到達距離よりも長い場合に無線中継装置と車載装置との間の送受信を行う第２の無線通信を介して携帯端末と車載装置との間の信号の送受信を行うことができる。
【００１０】
第４には、前記車輌制御装置が自動車専用のキー手段との間でイモビ信号の送受信を行うものである場合において、前記車載装置は、前記車輌制御装置との間のイモビ信号の送受信、及び前記第２の無線通信を介した前記無線中継装置との間のイモビ信号の送受信が可能とされ、前記無線中継装置は、前記キー手段との間でイモビ信号の送受信が可能とされ、前記車載装置及び前記無線中継装置により、前記車輌制御装置と前記キー手段との間のイモビ信号の送受信の中継が可能であることを特徴とする。
上記構成により、キー手段と車輌制御装置との間の遠距離のイモビ信号の送受信が可能な自動車用遠隔操作装置となる。
【００１１】
また、本発明に係る自動車遠隔操作システムは、前述の自動車用遠隔操作装置と、前記携帯端末と、前記分析サーバと、を有することを特徴とする。
上記構成により、携帯端末の能力に係らず音声に基づく遠隔操作を高い分析精度で行うことが可能な自動車用遠隔操作システムとなる。
【発明の効果】
【００１２】
本発明に係る自動車用遠隔操作装置及び自動車用遠隔操作システムによれば、分析サーバの分析能力に従って分析されて得られた文字情報に基づいて遠隔操作が可能となるので、携帯端末の能力に係らず音声に基づく遠隔操作を高い分析精度で行うことが可能となる。さらに、キー手段と車輌制御装置との間のイモビ信号の長距離の送受信が可能となる。
【図面の簡単な説明】
【００１３】
【図１】第１実施形態の自動車用遠隔操作装置のブロック図である。
【図２】第２実施形態の自動車用遠隔操作装置のブロック図である。
【図３】第３実施形態の自動車用遠隔操作装置のブロック図である。
【発明を実施するための形態】
【００１４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１５】
図１に、第１実施形態の自動車用遠隔操作装置のブロック図を示す。図１に示すように、自動車用遠隔操作装置１０は、携帯端末１２に組み込まれた制御手段（不図示）と、車載装置２６を有する。
【００１６】
携帯端末１２は、自動車のドライバーが所持するものであり、専用のリモコンであってもよいし、高機能携帯（スマートフォン）等であってもよい。携帯端末１２は、演算を行うＣＰＵ装置１４、公衆通信網（例えば、インターネット）に接続する接続装置１６、無線通信となる近距離無線（例えばＢｌｕｅｔｏｏｔｈ（登録商標）：２．４ＧＨｚ帯）の送受信を行う無線装置１８、音声を音声情報として取り込むマイクや音声情報を増幅するアンプ等の音声取込装置２０、様々な情報を表示する表示装置２２（ディスプレイ）（表示部）、キー操作により情報を入力する操作入力装置２４（ディスプレイに組み込まれたタッチパネル）等を有する。また携帯端末１２は、インターネットを介して分析サーバ３６に接続されている。分析サーバ３６は、音声情報を受信すると独自のアルゴリズムにもとづいて音声情報を分析し、これを文字情報に変換して送信する。
【００１７】
制御手段（不図示）は、例えば携帯端末１２にインストールされたアプリケーションであり、ＣＰＵ装置１４を介して様々な制御を行うとともに、前述の接続装置１６及び無線装置１８をインターフェースとして外部との間で情報及び信号の送受信を行うことができる。
【００１８】
また携帯端末１２の記憶領域（不図示）には、登録文字情報とこれに関連付けられた遠隔操作信号が格納されている。登録文字情報としては、例えば、「エンジン始動」、「エンジン停止」、「ドアロック」、「ドアロック解除」、「チェック」がある。
【００１９】
ここで、「エンジン始動」、「エンジン停止」、「ドアロック」、「ドアロック解除」は、それぞれ文言通りの遠隔操作をする意味であるが、「チェック」とは、遠隔操作対象の自動車の状態（エンジンの起動の有無、ドアの開閉の状態、トランスミッションの位置、ハンドブレーキの状態等）を表すステータス情報を取得するための遠隔操作を意味する。
【００２０】
登録文字情報に関連付けられた遠隔操作信号は、遠隔操作信号であることを識別するための識別情報と、遠隔操作の内容を表すコンテンツ情報を有する。例えば、上述のように登録文字情報が５つである場合には、コンテンツ情報は３ビットのバイナリデータ（０００、００１、０１０、０１１、１００）により構築することができる。
【００２１】
車載装置２６は、遠隔操作対象の自動車に取り付けられ、自動車の車輌制御装置３４（ＥＣＵ：Ｅｎｇｉｎｅ  Ｃｏｎｔｒｏｌ  Ｕｎｉｔ）に接続されている。また車載装置２６は、無線装置２８を有し、携帯端末１２の無線装置１８との間で近距離無線通信が可能となっている。
【００２２】
また、車載装置２６の記憶領域（不図示）には、携帯端末１２から送信される遠隔操作信号に対応するＥＣＵ信号が格納され、車載装置２６を構成するＣＰＵ装置３０は、遠隔操作信号に対応するＥＣＵ信号を、入出力制御装置３２を介して車輌制御装置３４に出力する。
【００２３】
上記構成による自動車用遠隔操作装置１０の動作について説明する。まず、ドライバーが携帯端末１２に向かって、例えば「エンジン始動」と発声する。すると、音声取込装置２０は、音声情報を制御手段（ＣＰＵ装置１４）に出力する。制御手段は、入力された音声情報を、接続装置１６を介してインターネットにより分析サーバ３６に送信する。分析サーバ３６は、受信した音声情報を文字情報に変換して携帯端末１２に送信する。
【００２４】
制御手段は、接続装置１６を介して文字情報が入力されると、この文字情報と予め登録された登録文字情報とを照合し、その文字情報に一致する登録文字情報に関連付けられた遠隔操作信号を抽出し、その遠隔操作信号を無線装置１８により送信する。
【００２５】
車載装置２６（ＣＰＵ装置３０）は、無線装置２８を介して遠隔操作信号が入力されると、その遠隔操作信号に対応する（エンジン始動に関する）ＥＣＵ信号を抽出して入出力制御装置３２により車輌制御装置３４に出力する。以上より、携帯端末１２を所有するドライバーの音声により自動車の遠隔始動を行うことができる。なお、「エンジン停止」、「ドアロック」、「ドアロック解除」は、「エンジン始動」と同様の動作であるので説明を省略する。
【００２６】
遠隔操作信号が「チェック」に相当するものである場合、車載装置２６は、その遠隔操作信号に対応する（ステータス情報を取得するための）ＥＣＵ信号を抽出して車輌制御装置３４に出力する。車輌制御装置３４は、そのＥＣＵ信号が入力されるとステータス情報を車載装置２６に出力し、ＣＰＵ装置３０が、無線装置２８を介して携帯端末１２（無線装置１８）にステータス情報を送信する。そして、制御手段は、ステータス情報が入力されるとこれを表示装置２２に出力する。以上より、ドライバーの音声により自動車のステータス情報を携帯端末１２の表示装置２２に表示することができる。
【００２７】
第１実施形態に係る自動車用遠隔操作装置１０によれば、携帯端末１２が取り込んだ音声は携帯端末１２の外部にある分析サーバ３６において文字情報に変換され、その文字情報に基づいて携帯端末１２が遠隔操作信号を送信することになる。よって、分析サーバ３６の分析能力に従って分析されて得られた文字情報に基づいて遠隔操作が可能となるので、携帯端末１２の能力に係らず音声に基づく遠隔操作を高い分析精度で行うことができる。
【００２８】
図２に、第２実施形態の自動車用遠隔操作装置のブロック図を示す。第２実施形態の自動車用遠隔操作装置１０Ａは、第１実施形態の自動車用遠隔操作装置１０において、携帯端末１２と車載装置２６との間の送受信を中継する無線中継装置３８が追加されたものである。
【００２９】
無線中継装置３８は、携帯端末１２との間では近距離無線通信が可能な無線装置４０と、車載装置２６との間で近距離無線通信よりも通信の到達距離の長い第２の無線通信となる長距離無線通信（例えば、９２０ＭＨｚ帯、４２９ＭＨｚ帯、到達距離は１００〜１０００ｍ程度）を行うことが可能な無線装置４２を有している。そして無線装置４０と無線装置４２は互いに接続され信号の送受信が可能となっている。また、車載装置２６の無線装置２８は、無線中継装置３８の無線装置４２との間で長距離無線通信が可能となっている。この無線中継装置３８は、ドライバーが保持するか、携帯端末１２の近距離無線通信が到達する範囲（１ｍ〜１０ｍ程度）に配置する。
【００３０】
上記構成により、携帯端末１２と車載装置２６との距離が近距離無線の到達距離よりも長い場合に無線中継装置３８を介して携帯端末１２と車載装置２６との間の信号の送受信を行うことができる。
【００３１】
図３に、第３実施形態の自動車用遠隔操作装置のブロック図を示す。第３実施形態の自動車用遠隔操作装置１０Ｂは、エンジン始動の際に、キー４８と車輌制御装置３４との間でイモビ信号による認証作業を行うイモビ認証システムを採用する自動車に適用するものである。
【００３２】
車輌制御装置３４は、イモビ信号をキー４８との間で送受信するイモビ無線装置３５を有している。イモビ信号には、車輌制御装置３４からキー４８に向けて送信するチャレンジコードと、キー４８がチャレンジコードに応答して車輌制御装置３４に送信するレスポンスコードがあり、それぞれ所定の周波数の搬送波により変調されて送信される。ここで、チャレンジコードを送信する搬送波の周波数は、例えば１３５ＫＨｚ帯であり、レスポンスコードを送信する搬送波の周波数は、例えば３１５ＭＨｚ帯である。よって、イモビ無線装置３５は、近距離無線により、チャレンジコードを１３５ＫＨｚ帯により送信するとともに、レスポンスコードを３１５ＭＨｚ帯により受信する。これに対応して、車載装置２６の無線装置２８は、近距離無線により、チャレンジコードを１３５ＫＨｚ帯により受信するとともに、レスポンスコードを３１５ＭＨｚ帯により送信する。これにより、イモビ無線装置３５と無線装置２８との間で、近距離無線によるイモビ信号の送受信を行うことができる。
【００３３】
キー４８は、ドライバーが所持するいわゆるスマートキー（登録商標）であり、自らイモビ信号の送受信が可能なものである。すなわち、キー４８には、近距離無線により、チャレンジコードを１３５ＫＨｚ帯により受信する無線装置（不図示）と、レスポンスコードを３１５ＭＨｚ帯により送信する無線装置（不図示）が内蔵されている。一方、無線中継装置３８は、無線装置４２に接続した無線装置４４を有している。無線装置４４は、近距離無線により、チャレンジコードを１３５ＫＨｚ帯により送信することができ、レスポンスコードを３１５ＭＨｚ帯により受信することができる。これにより、キー４８と無線装置４４との間で、近距離無線によるイモビ信号の送受信を行うことができる。また、無線装置２８と無線装置４２の間において、チャレンジコード及びレスポンスコードは、長距離無線通信の周波数（例えば９２０ＭＨｚ帯）により送受信される。
【００３４】
本実施形態は、第１実施形態で説明した「エンジン始動」の遠隔操作を行う際に動作する。本実施形態の動作としては、車載装置２６が車両制御装置３４にエンジン始動に関するＥＣＵ信号を出力すると、車両制御装置３４に付属するイモビ無線装置３５がチャレンジコードを１３５ＫＨｚ帯により無線装置２８に出力する。無線装置２８は、チャレンジコードを受信すると、これを長距離無線通信用の周波数（９２０ＭＨｚ帯）により変調して無線中継装置３８に送信する。無線中継装置３８の無線装置４２は、無線装置２８からチャレンジコードを受信すると無線装置４４に出力し、無線装置４４がもとの周波数（１３５ＫＨｚ帯）に復調してキー４８に送信する。
【００３５】
キー４８は、チャレンジコードを１３５ＫＨｚ帯により受信するとこれに応答してレスポンスコードを３１５ＭＨｚ帯により無線中継装置３８（無線装置４４）に送信する。
【００３６】
無線中継装置３８の無線装置４４は、キー４８からレスポンスコードを受信するとこれを無線装置４２に出力し、無線装置４２はレスポンスコードを長距離無線通信用の周波数（９２０ＭＨｚ帯）に変調して車載装置２６に送信する。車載装置２６（無線装置２８）は、無線装置４２からレスポンスコードを受信するとこれをもとの周波数（３１５ＭＨｚ帯）に復調してイモビ無線装置３５に送信する。そして、車輌制御装置３４は、イモビ無線装置３５が受信したレスポンスコード（イモビ信号）が、車輌制御装置３４において予め用意したコードと一致すると認証した場合に、エンジン始動の制御を行うことができる。
【００３７】
以上の動作により、イモビ認証システムを採用する自動車に対しても、イモビ信号を長距離無線通信を用いて中継することにより長距離の遠隔始動を行うことができる。なお、いずれの実施形態においても、自動車用遠隔操作装置１０，１０Ａ，１０Ｂ、携帯端末１２、分析サーバ３６により自動車用遠隔操作システムを構築することができる。
【産業上の利用可能性】
【００３８】
リモコン等の携帯端末の性能に依存せず、高精度な音声の分析能力を発揮できる自動車用遠隔操作装置、及び自動車用遠隔操作システムとして利用できる。
【符号の説明】
【００３９】
１０………自動車用遠隔操作装置、１２………携帯端末、１４………ＣＰＵ装置、１６………接続装置、１８………無線装置、２０………音声取込装置、２２………表示装置、２４………操作入力装置、２６………車載装置、２８………無線装置、３０………ＣＰＵ装置、３２………入出力制御装置、３４………車輌制御装置、３５………イモビ無線装置、３６………分析サーバ、３８………無線中継装置、４０………無線装置、４２………無線装置、４４………無線装置、４８………キー。
【図１】
2016089670.tif 000003
【図２】
2016089670.tif 000004
【図３】
2016089670.tif 000005